(57)【要約】【課題】店舗、駅等で施設ごとにＩＤやパスワードを取得する必要がなく、ＳＮＳを利用するときに必要となるＳＮＳ利用者の情報を用いて、通信端末がＳＮＳのアプリケーションソフトウェアを介してＬＡＮ通信接続するＬＡＮ接続システムを提供する。【解決手段】通信端末１０から、ＳＮＳのアプリケーションソフトウェアを介してＬＡＮ通信接続するＬＡＮ接続システムであって、通信端末１０と、中継装置１２と、ｗｅｂサーバ１４と、ＬＡＮ接続利用権発行サーバ１６とを具備し、通信端末１０と中継装置１２とのＬＡＮ通信路が開放される前において、通信端末１０が、中継装置１２を介してデータの送受信が可能な領域内にある場合に、通信端末１０からの要求に応じて、ＬＡＮ接続利用権が発行され、発行されたＬＡＮ接続利用権が、通信端末１０および中継装置１２に通信されて、ＬＡＮ通信路が開放される。【選択図】図１
2015210784.tif 000002
【特許請求の範囲】
【請求項１】
通信端末から、ソーシャル・ネットワーキング・サービス（ＳＮＳ）のアプリケーションソフトウェアを介してＬＡＮ（Ｌｏｃａｌ  Ａｒｅａ  Ｎｅｔｗｏｒｋ）通信接続するＬＡＮ接続システムであって、
通信端末と、
中継装置と、
ｗｅｂサーバと、
ＬＡＮ接続利用権発行サーバとを具備し、
前記中継装置は、前記ｗｅｂサーバおよび前記ＬＡＮ接続利用権発行サーバとインターネットを介して通信するとともに、かつ前記通信端末とインターネットとを中継し、
前記ｗｅｂサーバは、前記アプリケーションソフトウェアを起動させる起動手段を有し、前記通信端末内にある前記アプリケーションソフトウェアが起動した際に、前記アプリケーションソフトウェアを介してＳＮＳ利用者の情報を、ＳＮＳサービスの提供業者のシステムとｗｅｂサーバとの間で送受信する利用者通信手段を有し、
前記ＬＡＮ接続利用権発行サーバは、ＬＡＮ接続利用権を発行する利用権発行手段とを有し、
前記通信端末と前記中継装置とのＬＡＮ通信路が開放される前において、前記通信端末が、前記中継装置を介してデータの送受信が可能な領域内にある場合に、前記通信端末からの要求に応じて、前記起動手段、前記利用者通信手段および前記利用権発行手段により、ＬＡＮ接続利用権が発行され、発行された前記ＬＡＮ接続利用権が、前記通信端末および前記中継装置に通信されて、前記ＬＡＮ通信路が開放されることを特徴とするＬＡＮ接続システム。
【請求項２】
前記ＳＮＳ利用者の情報は、前記ＳＮＳにログインするためのログインＩＤが含まれることを特徴とする請求項１に記載のＬＡＮ接続システム。
【請求項３】
前記中継装置が公衆無線ＬＡＮアクセスポイントであることを特徴とする請求項１または請求項２に記載のＬＡＮ接続システム。
【請求項４】
前記アプリケーションソフトウェアは、前記ＳＮＳと連携し、前記ＬＡＮ通信路が開放された後に、ＬＡＮ接続システム利用情報が前記ＳＮＳに投稿されることを特徴とする請求項１から請求項３のいずれか一項に記載のＬＡＮ接続システム。
【請求項５】
前記アプリケーションソフトウェアが、アプリケーション・プログラミング・インタフェース（ＡＰＩ）が提供されたＳＮＳのアプリケーションソフトウェアであることを特徴とする請求項１から請求項４のいずれか一項に記載のＬＡＮ接続システム。
【発明の詳細な説明】
【技術分野】
【０００１】
本発明は、ＬＡＮ接続システムに関する。
【背景技術】
【０００２】
ブロードバンド環境が普及し、屋外、屋内を問わず多くの場所で公衆の通信回線を利用してインターネットに接続できるようになっている。例えば、公衆のＬＡＮ（Ｌｏｃａｌ  Ａｒｅａ  Ｎｅｔｗｏｒｋ）接続サービスが提供されていて、店舗、駅、空港、ホテルなどの施設で中継装置を介してインターネットに接続できる。データの送受信が可能な通信端末を用いれば、ケーブルに繋いでまたは無線通信機能を備えていれば無線によって施設に設けられた中継装置と繋ぎ、利用者はＬＡＮ接続サービスを受けることができる。
【０００３】
利用者は接続サービスを受けるために、接続サービス用のＩＤやパスワードを入力することもあり、中にはＩＤやパスワードを入力せずに中継装置の識別子を通信端末で選択するだけで接続サービスを受けることもできる。特許文献１には、無線ＬＡＮスポットと接続する際に使用するＩＤおよびパスワードを記録するＬＡＮ接続無線端末装置を用いて無線通信を行うことが記載されている。
【先行技術文献】
【特許文献】
【０００４】
【特許文献１】特開２００８−１７７６６１号公報
【発明の概要】
【発明が解決しようとする課題】
【０００５】
外出先で公衆の通信回線を利用してインターネットに接続する場合、接続業者に利用する分だけの料金の支払いをしてパスワードを入手したり、店舗、駅等で施設ごとにＩＤやパスワードを取得したりして、利用者情報を通信端末に設定する必要がある。このため、公衆の通信回線を利用する度に煩雑な操作をしなければならない。また、繁雑な操作をなくすために、誰でも使えるようにしてしまうと接続記録から利用者の追跡が困難になり、トラブルや犯罪などに加担してしまう可能性がある。
【０００６】
そこで本発明は上記課題を解決するためになされたもので、その目的とするところは、店舗、駅等で施設ごとにＩＤやパスワードを取得する必要がなく、ＳＮＳを利用するときに必要となるＳＮＳ利用者の情報を用いて、通信端末がＳＮＳのアプリケーションソフトウェアを介してＬＡＮ通信接続するＬＡＮ接続システムを提供することにある。
【課題を解決するための手段】
【０００７】
上記の目的を達成するため、本発明のＬＡＮ接続システムは次の構成を備える。すなわち、本発明は、通信端末から、ソーシャル・ネットワーキング・サービス（ＳＮＳ）のアプリケーションソフトウェアを介してＬＡＮ通信接続するＬＡＮ接続システムであって、通信端末と、中継装置と、ｗｅｂサーバと、ＬＡＮ接続利用権発行サーバとを具備し、前記中継装置は、前記ｗｅｂサーバおよび前記ＬＡＮ接続利用権発行サーバとインターネットを介して通信するとともに、かつ前記通信端末とインターネットとを中継し、前記ｗｅｂサーバは、前記アプリケーションソフトウェアを起動させる起動手段を有し、前記通信端末内にある前記アプリケーションソフトウェアが起動した際に、前記アプリケーションソフトウェアを介してＳＮＳ利用者の情報を、ＳＮＳサービスの提供業者のシステムとｗｅｂサーバとの間で送受信する利用者通信手段を有し、前記ＬＡＮ接続利用権発行サーバは、ＬＡＮ接続利用権を発行する利用権発行手段とを有し、前記通信端末と前記中継装置とのＬＡＮ通信路が開放される前において、前記通信端末が、前記中継装置を介してデータの送受信が可能な領域内にある場合に、前記通信端末からの要求に応じて、前記起動手段、前記利用者通信手段および前記利用権発行手段により、ＬＡＮ接続利用権が発行され、発行された前記ＬＡＮ接続利用権が、前記通信端末および前記中継装置に通信されて、前記ＬＡＮ通信路が開放されることを特徴とする。この構成によれば、予め登録してあるＳＮＳ利用者の情報を用いることで、改めてＬＡＮ接続するためにＩＤやパスワードを取得する必要がなく、また、施設ごとに異なるシステムに対して通信端末にＩＤやパスワードを設定することなく、ＬＡＮ接続できる。さらに利用者の追跡が容易となる。
【０００８】
また、本発明において、前記ＳＮＳ利用者の情報は、前記ＳＮＳにログインするためのログインＩＤが含まれることが好ましい。これによれば、ＳＮＳで管理されている個人情報を本実施形態のＬＡＮ接続システムでも利用することができる。
【０００９】
また、本発明において、前記中継装置が公衆無線ＬＡＮアクセスポイントであることが好ましい。これによれば、不特定多数の人がＬＡＮ通信接続する状況であっても、個人の特定が容易にでき、安全に利用できる。
【００１０】
また、本発明において、前記アプリケーションソフトウェアは、前記ＳＮＳと連携し、前記ＬＡＮ通信路が開放された後に、ＬＡＮ接続システム利用情報が前記ＳＮＳに投稿されることが好ましい。これによれば、ＬＡＮ接続システムを提供している施設の広告としても情報を送信することができ、関連のある友人、知人に閲覧してもらう可能性が高まる。
【００１１】
また、本発明において、前記アプリケーションソフトウェアが、アプリケーション・プログラミング・インタフェース（ＡＰＩ）が提供されたＳＮＳのアプリケーションソフトウェアであることが好ましい。これによれば、ＳＮＳ利用者の情報を用いてＬＡＮ通信接続するＬＡＮ接続システムの専用アプリを開発し、さらにＳＮＳと連携させることができ、ＳＮＳに登録されたＳＮＳ利用者の情報を収集することもできる。
【発明の効果】
【００１２】
本発明のＬＡＮ接続システムによれば、店舗、駅等で施設ごとにＩＤやパスワードを取得する必要がなく、ＳＮＳを利用するときに必要となるＳＮＳ利用者の情報を用いて、通信端末がＳＮＳのアプリケーションソフトウェアを介してＬＡＮ通信接続するＬＡＮ接続システムを提供することができる。
【図面の簡単な説明】
【００１３】
【図１】本実施形態に係るＬＡＮ接続システムの一例を示す説明図である。
【図２】本実施形態のＬＡＮ接続システムにおいて動作の一例を示すシーケンス図である。
【図３】本実施形態に係る通信端末に表示される画面の一例である。
【発明を実施するための形態】
【００１４】
以下、本実施形態に係るＬＡＮ接続システムについて、添付図面を参照しながら説明する。
【００１５】
本実施形態のＬＡＮ接続システムは、通信端末からＳＮＳのアプリケーションソフトウェア（以下アプリと略すこともある）を介してＬＡＮ通信接続するＬＡＮ接続システムである。そして、通信端末からＳＮＳ利用者の情報を入力すればＬＡＮ通信接続できるシステムである。ＳＮＳを利用していれば、予めＳＮＳに登録されているＳＮＳ利用者の情報を用いてＬＡＮ接続でき、店舗、駅、空港、ホテルなどの施設ごとに異なるＩＤやパスワードを取得する必要がない。このため、施設ごとに異なるＬＡＮ接続するためのＩＤやパスワードを、ＬＡＮ通信を利用する度に通信端末に入力する手間が省け、施設のＬＡＮ通信接続サービスを受けることができる。また、ＳＮＳに新規で利用者情報を登録したＳＮＳ利用者の情報でも利用でき、それ以降にシステム利用するときはＩＤやパスワードの入力を省くことができる。
【００１６】
図１に本実施形態に係るＬＡＮ接続システムの一例を示す。図２に、本実施形態のＬＡＮ接続システムにおいてＬＡＮ通信接続する動作の一例を示すシーケンス図である。本実施形態のＬＡＮ接続システムは、通信端末１０と、中継装置１２と、ｗｅｂサーバ１４と、利用者識別子を管理するＬＡＮ接続利用権発行サーバ１６とを具備している。中継装置１２は通信端末１０と通信接続可能であり、インターネットと中継する機能を有している。さらに中継装置１２は、インターネットを介してｗｅｂサーバ１４およびＬＡＮ接続利用権発行サーバ１６と通信接続されている。ｗｅｂサーバ１４は、アプリケーションソフトウェアを起動させる起動手段を有している。さらに、通信端末１０内にあるアプリケーションソフトウェアが起動した際に、アプリケーションソフトウェアを介してＳＮＳ利用者の情報を、ＳＮＳサービスの提供業者のシステムとｗｅｂサーバ１４との間で送受信する利用者通信手段を有している。ＬＡＮ接続利用権発行サーバ１６は、ＬＡＮ接続利用権を発行する利用権発行手段を有している。
【００１７】
本実施形態のＬＡＮ接続システムは、通信端末１０が中継装置１２を介してデータの送受信が可能な領域内にある場合に利用できるシステムである。通信端末１０からの要求に応じて、起動手段、利用者通信手段および利用権発行手段により、ＬＡＮ接続利用権が発行される。発行されたＬＡＮ接続利用権が、通信端末および中継装置に通信されて、ＬＡＮ通信路が開放される。本実施形態で用いる中継装置１２はルーターやアクセスポイントであってもよく、無線ＬＡＮ接続だけではなく、ＬＡＮケーブルを接続した有線のＬＡＮ接続システムにも適用できるものである。
【００１８】
本実施形態のＬＡＮ接続システムでは、通信端末１０として例えば、通信機能を有するスマートフォンやタブレットＰＣ、ノートパソコン等を用いることができる。本実施形態のＬＡＮ接続システムを利用して通信接続される前、すなわち通信端末１０と中継装置１２とのＬＡＮ通信路が開放される前では、通信端末１０は他の通信接続業者のサービス、例えば携帯電話回線網を利用してインターネットに接続できるものでもよい。または、通信端末１０は、携帯電話回線網を利用できないものでもよく、無線ＬＡＮ通信機能を利用していない状況やＬＡＮケーブルが接続されていない状況では、インターネットに接続できなくてもよい。このように本実施形態で用いる通信端末１０は、通信機能を有していればどの通信端末１０でもよく、本実施形態のＬＡＮ接続システムは、国内、海外を問わず、携帯電話回線網などが利用できなくてもＬＡＮ通信接続によってインターネットに接続できる。中継装置１２は、中継装置１２自体がインターネットに接続されていてもよく、またはインターネットに接続している装置（図示せず：例えば親機、モデム）と接続されている。以下、無線ＬＡＮ接続する場合について説明する。このとき、用いる中継装置１２としては、不特定多数の人が利用できる公衆無線ＬＡＮアクセスポイントであってもよい。
【００１９】
通信端末１０と中継装置１２とのＬＡＮ通信路が開放される前において、通信端末１０が中継装置１２を介してデータの送受信が可能な領域内にある場合、通信端末１０上に中継装置１２のサービスセット識別子（ＳＳＩＤ）が表示される。表示された中継装置１２のＳＳＩＤを選択して通信端末１０と中継装置１２との間で通信可能な状態にしておく。ここでは、通信端末１０は中継装置１２を介してインターネット経由で必要な情報が通信されて一部は開放されているものの、通信端末１０と中継装置１２とのＬＡＮ通信路は開放される前であるため、通信端末１０は不特定多数のネットワークには接続できない。中継装置１２、ｗｅｂサーバ１４、ＬＡＮ接続利用権発行サーバ１６はそれぞれインターネットに接続していて、互いにデータの送受信だけは可能である。このため、通信端末１０は、ＬＡＮ通信接続によるインターネットへの接続ができないだけで、ｗｅｂサーバ１４とＬＡＮ接続利用権発行サーバ１６とのデータの送受信は可能である。
【００２０】
通信端末１０で中継装置１２のＳＳＩＤを選択した後、通信端末１０からＬＡＮ接続システムを利用するという要求があると、中継装置１２は、ｗｅｂサーバ１４に対して通信端末１０が中継装置１２の通信可能領域にあることを通知する。そして、ｗｅｂサーバ１４は、ｗｅｂサーバ１４に記憶された指定ＵＲＬを通信端末１０に通知し、接続するためのリンクを通信端末１０の画面上に表示させてもよい。このとき、表示される画面１０Ａの一例としては、ＬＡＮ接続システム利用を開始するためのスタートページであってもよく、そのページにリンクが表示されてリンクからＬＡＮ接続の手続きが開始されるようにすればよい。
【００２１】
ＬＡＮ接続の手続きが開始されると、本実施形態のＬＡＮ接続システムの利用履歴に関する利用履歴情報が、ｗｅｂサーバ１４からＳＮＳサービスの提供業者のシステムに通信される。利用履歴情報には、本実施形態のＬＡＮ接続システムを利用した回数の情報、本実施形態のＬＡＮ接続システムで用いるＳＮＳのアプリが通信端末１０にインストールされているかという情報が含まれる。ＳＮＳのシステム側では利用履歴情報を基にして、通信端末１０に向けて送信するのに適した情報を判断している。そして、この判断結果がｗｅｂサーバ１４に通知される。本実施形態のＬＡＮ接続システムを初回利用する場合や、通信端末１０にＳＮＳのアプリが未インストールの場合などではＳＮＳのシステム側からｗｅｂサーバ１４経由でＳＮＳのアプリの使用許諾契約が通知される。一方、通信端末１０にＳＮＳアプリがインストールされて使用許諾がされている場合は、通信端末１０へのアプリの使用許諾契約に関する通知がない。そして、ｗｅｂサーバ１４に通知された判断結果に基づいて、ｗｅｂサーバ１４の起動手段によって、通信端末１０では通信端末１０内にあるＳＮＳのアプリが起動される。起動手段は、予めｗｅｂサーバ１４内に記憶されたソフトウェアである。なお、ＳＮＳのシステムと通信できるのはｗｅｂサーバ１４だけである。
【００２２】
ここで、初回利用やアプリが未インストールの場合について述べる。アプリの使用が許諾されると、通信端末１０の要求に応じて、中継装置１２からｗｅｂサーバ１４を介してＳＮＳのシステムにアプリ使用を許諾したことが通知される。その後、通信端末１０はＳＮＳのアプリを使用できるようになる。このとき、通信端末１０にＳＮＳのアプリがインストールされるようにしてからＳＮＳのアプリを使用できるようにしてもよい。また、アプリの使用が許諾されると、本実施形態のＬＡＮ接続システムはＳＮＳのアプリを介して、別途ＳＮＳのシステムに登録されたＳＮＳ利用者の情報を利用することができ、本実施形態のＬＡＮ接続システムにログインするために利用できる。このとき、後述する利用者通信手段によってＳＮＳサービスの提供業者のシステムとｗｅｂサーバとの間で送受信すればよい。
【００２３】
アプリ使用の許諾後または２回目以降の接続では、起動手段により通信端末１０内にあるＳＮＳのアプリを起動させると、利用者通信手段によってアプリケーションソフトウェアを介してＳＮＳ利用者の情報がｗｅｂサーバ１４に通知される。利用者通信手段は、予めｗｅｂサーバ１４内に記憶されたソフトウェアであり、ＳＮＳアプリによってインターネットを介してＳＮＳ利用者の情報を送受信する手段である。ｗｅｂサーバ１４は、本実施形態のＬＡＮ接続システム上で必要なＳＮＳ利用者に関する情報を通信端末１０から受信して、ｗｅｂサーバ１４でＳＮＳ利用者の情報を記憶する。また、ｗｅｂサーバ１４は、受信したＳＮＳ利用者の情報をＳＮＳサービスの提供業者のシステムに送信する。ＳＮＳサービスの提供業者のシステムでは、ＳＮＳ利用者の情報に基づいてＳＮＳへのログイン処理が行われ、ｗｅｂサーバ１４にログインされていることが通知される。ＳＮＳへのログインがされたことの通知を受信後、ｗｅｂサーバ１４ではＳＮＳ利用者の情報生成が生成され、記憶される。
【００２４】
ＳＮＳ利用者がＳＮＳにログインされていることがｗｅｂサーバ１４に通知された後、ＳＮＳのアプリケーションソフトウェアを介して、通信端末１０にＬＡＮ接続利用権を要求する画面が表示される。そして、通信端末１０では表示された画面から、ＬＡＮ接続利用権を要求して、ＬＡＮ接続権が要求されていることがｗｅｂサーバ１４に通知される。ｗｅｂサーバ１４では、ＬＡＮ接続利用権発行サーバ１６に通信端末１０がＬＡＮ接続権を要求していることを通知する。このとき、ＬＡＮ接続利用権発行サーバ１６には、どの通信端末１０がＬＡＮ接続権を要求しているのか、どの中継装置１２を介して通信されているかという情報も通信される。
【００２５】
ＬＡＮ接続利用権発行サーバ１６は利用権発行手段を有し、利用権発行手段は、予めＬＡＮ接続利用権発行サーバ１６内に記憶されたソフトウェアである。ＬＡＮ接続利用権発行サーバ１６は、複数のインターネットプロトコルを含むＲＡＤＩＵＳサーバである。ＬＡＮ接続利用権発行サーバ１６は、利用権発行手段によってＬＡＮ接続利用権を発行し、発行されたＬＡＮ接続利用権が、中継装置１２とｗｅｂサーバ１４に送信される。そして、中継装置１２はＬＡＮ接続利用権を通信端末１０に送信し、ＬＡＮ通信路が開放される。ＬＡＮ接続利用権は通信端末１０および中継装置１２に送信されているので、送信された互いのＬＡＮ接続利用権を照合し、同一であった場合にＬＡＮ通信路が開放されるようにする。これにより、通信端末１０または中継装置１２のどちらか一方にＬＡＮ接続利用権を送る場合と異なり、照合されているので利用者の特定がしやすくなる。
【００２６】
ＬＡＮ接続利用権発行サーバ１６では、通知されたＳＮＳ利用者の情報から利用者識別子を生成し、これに付して通信端末１０、中継装置１２を識別する識別子を生成してもよい。また、ＬＡＮ接続利用権発行サーバ１６では、これらの利用者識別子をデータベースに記憶してもよい。このようにすれば、ＳＮＳ利用者の情報に合わせたＬＡＮ接続利用権を発行することができる。また、ＳＮＳ利用者の情報を用いて通信端末１０、中継装置１２に対してＬＡＮ接続利用権を発行している。このため、ＳＮＳ利用者が同一であり、ＬＡＮ接続利用権を要求するときに用いる通信端末１０、中継装置１２が前回利用時と異なっていたとしても、通信端末１０、中継装置１２に対してＬＡＮ接続利用権を通信し、ＬＡＮ接続利用できる。このとき、ＬＡＮ接続利用権をプライベートＩＰアドレス等の情報によって送信してもよい。以上のことから、本実施形態のＬＡＮ接続システムは、ＳＮＳ利用者情報だけでＬＡＮ接続システムを利用できる。さらに、不特定多数にインターネットを利用させている場合とは異なり、ＳＮＳ利用者、通信端末１０、中継装置１２の識別子からＬＡＮ接続システムの利用者をログイン記録から特定できる。
【００２７】
ＬＡＮ接続利用権発行サーバ１６やＬＡＮ接続利用権が通信されたｗｅｂサーバ１４では、利用者識別子が記憶されるようにしてもよい。これにより、ＬＡＮ接続システムを試みようとした利用者の情報、ＬＡＮ通信接続した利用者の情報が蓄積されるようにして、利用者識別子により個別に管理できる。また、利用者識別子にはＳＮＳ利用者の情報が含まれる他、ＬＡＮ接続システム利用日時、利用施設、利用時間、接続回数、使用する通信端末１０等のデータが含まれていてもよく、データが利用者識別子に関連付けされていてもよい。ＬＡＮ接続利用権発行サーバ１６のデータベースは、利用者識別子に対応する情報を記憶し、読み出し可能となっている。
【００２８】
また、ＬＡＮ接続利用権発行サーバ１６は、利用者識別子からＬＡＮ接続可否を判断する接続判断手段を有していてもよく、ＬＡＮ接続が許可された利用者に対してのみＬＡＮ接続利用権を発行し、ＬＡＮ接続利用権を通信するようにしてもよい。また、ＬＡＮ接続利用権を発行する際、ＬＡＮ接続システムを時間単位で一時利用できるようにしたＬＡＮ接続一時利用権とし、中継装置１２に通知してもよい。この場合、ＬＡＮ接続一時利用権に付されるＩＰアドレス等の情報を発行されるごとに変えて送信すれば、以前に受信したＬＡＮ接続一時利用権は使えなくなり、ＳＮＳ利用者の情報に合わせて時間制御することもできる。
【００２９】
ｗｅｂサーバ１４、ＬＡＮ接続利用権発行サーバ１６は施設ごとや複数施設単位でまとめて設置されていてもよい。また、蓄積される利用者識別子に関連付けられる情報は、利用施設内で利用施設ごとに管理されていてもよく、例えばグループ施設の情報を統括する部署でまとめて管理されてもよい。さらに、ＬＡＮ接続システムを利用するすべての利用者の情報を管理するサーバを設けて、ＬＡＮ接続利用権発行サーバ１６と通信するようにしてもよい。本実施形態のＬＡＮ接続システムを共通して利用している施設であれば、ＳＮＳ利用者の情報が共通するＬＡＮ接続利用権発行サーバ１６で登録されているので、施設が異なっていても新たにＩＤやパスワードを取得する必要がない。これにより、ＳＮＳに登録されたＳＮＳ利用者の情報だけでＬＡＮ接続システムにログインできる。また、本実施形態のＬＡＮ接続システムは、通信端末１０ごとに利用者識別子を管理しているのではなく、システム利用者単位で管理しているので、通信端末１０が変更されてもＳＮＳ利用者の情報からＬＡＮ接続システムにログインできる。
【００３０】
ｗｅｂサーバ１４とＬＡＮ接続利用権発行サーバ１６との間では、ＬＡＮ接続利用権発行サーバ１６で生成された利用者識別子も互いに通知し合うことができる通知手段を有していてもよい。このｗｅｂサーバ１４とＬＡＮ接続利用権発行サーバ１６との間では、ＳＮＳ利用者の情報、利用者識別子を共有でき、共通するＬＡＮ接続システムを用いている施設でシステム利用者を管理しやすくなる。
【００３１】
ＳＮＳ利用者の情報は、ＳＮＳにログインするためのログインＩＤが含まれていてもよい。さらに、ＳＮＳにログインするためのログインパスワードが含まれていてもよい。ＬＡＮ接続システムにログインするために、ＳＮＳのアプリにＳＮＳ用のログインＩＤ、パスワードを用いることができ、これらを入力するように設定する。これにより、ＳＮＳで管理されている個人情報を本実施形態のＬＡＮ接続システムでも利用することができるので、公の施設のＷｉ−Ｆｉ（登録商標）であっても不特定多数の人がＬＡＮ通信接続しても個人の特定が容易となる。
【００３２】
アプリケーションソフトウェアは、ＳＮＳと連携し、ＬＡＮ通信路が開放された後に、ＬＡＮ接続システム利用情報がＳＮＳに投稿されるように設定してもよい。例えば、ＳＮＳとして、Ｆａｃｅｂｏｏｋ（登録商標）であれば、「いいね（Ｌｉｋｅ）」ボタンを押したら、中継装置１２と通信端末１０のＬＡＮ通信路が開放されてＬＡＮ通信接続できるようにＳＮＳのアプリを設定する。「いいね」を押すことで、例えば、店舗など施設を利用していること、ＬＡＮ接続システムを利用していることなどの情報が、ＬＡＮ接続システム利用者の投稿としてＳＮＳに投稿される。この投稿は、ＬＡＮ接続システムを提供している施設の広告としても情報を送信することができる。このような施設側の情報を、ＬＡＮ接続システム利用者の施設利用情報としてＦａｃｅｂｏｏｋに投稿されるようにすることで、利用者と関連のある友人、知人などに情報を見てもらうことができる。また、このような施設情報の閲覧者は、関連のある友人、知人からの投稿による情報であるので、全く知らない人からの情報よりは信頼性があるため、施設を利用してもらえる可能性が高まり、広告効果が期待できる。
【００３３】
また、本実施形態のＬＡＮ接続システムを、以下のようにして利用することもできる。飲食店や公共施設の情報が、管理されているＳＮＳ利用者の情報を通じてＬＡＮ接続システム利用者に対して送られるようにすることもできる。例えば、一度でも当該店舗（施設）のＬＡＮ接続システム利用した人は、店舗情報の入手によってその後も店舗を利用してもらえる可能性が高まる。また、ＬＡＮ通信接続の権利を特典として捉え、施設側からのアンケートに答えたら、Ｗｉ−Ｆｉを利用できる、クーポン発行するという特典を付けてアンケート結果をスムーズに回収して、迅速にデータ化をしてマーケティング材料として利用する。また、会員獲得の手段として、会員になるとＷｉ−Ｆｉを利用できると設定してもよい。また、ＬＡＮ通信接続の権利をスタンプラリーや抽選システムの景品として付与してもよい。
【００３４】
図３に、本実施形態に係る通信端末１０に表示される画面の一例を示す。ＬＡＮ通信路が開放される前であり、通信端末１０が中継装置１２の中継領域内にあるとＳＳＩＤを選択する画面（図示せず）が表示され、中継装置１２のＳＳＩＤを選択すると中継装置１２と接続する。ｗｅｂサーバ１４に通知後、通信端末１０は指定ＵＲＬに接続し、通信端末１０にスタートページ（画面１）が表示される。スタートページに表示されたボタンを押して（リンク）指定ＵＲＬに接続するとＬＡＮ接続利用手続きを開始される。
【００３５】
本実施形態のＬＡＮ接続システムに初めて接続される場合と、２回目以降の場合とではこの後の工程が異なる。利用履歴情報に基づいた判断結果によって、ＳＮＳのアプリの使用許諾契約に関する画面２、または起動手段によって起動したＳＮＳのアプリの画面３が通信端末１０に表示される。この起動手段による起動用の画面としては、アプリの使用許諾を得る画面であってもよく、ＳＮＳにログインするためのログイン画面であってもよい。また、アプリの使用許諾を得るときに、併せてＳＮＳ内にＬＡＮ接続システムを利用したことが投稿されることを許諾する画面を加えてもよい。
【００３６】
初めて接続する場合、指定ＵＲＬに飛ばされ、アプリの使用許諾を得るための画面２を表示させる。このとき、利用者が画面２でアプリの使用を許諾すれば、ＳＮＳのアプリをインストールするようにしてもよい。画面２を表示してアプリの使用を許諾した後、アプリが起動し、通信端末１０には施設内に備えられたＬＡＮに接続するための画面４が表示される。２回目以降の接続の場合、画面３が表示され、ＳＮＳ利用者の情報を入力してＳＮＳを利用していることを知らせ、ＳＮＳ利用者の情報がＳＮＳサービスの提供業者のシステムに通信される。ＳＮＳにログインした後、ＬＡＮ通信接続開始前に画面４が表示され、ＬＡＮ接続システムを利用してＬＡＮ通信接続するかどうか聞かれる。
【００３７】
ＬＡＮ通信接続する場合に画面４のボタンを押すと、ＬＡＮ接続利用権が発行され、ＬＡＮ通信路が開放されてＬＡＮ通信接続でき、画面５に移行する。ＬＡＮ通信接続しない場合や、ＳＮＳ利用者の情報を送信した本人でない場合はロウアウトボタンを押す。ここで、画面４のボタンをＦａｃｅｂｏｏｋの「いいね」ボタンにして、「いいね」を押した後にＬＡＮ通信接続が開始する。その後、画面５でＬＡＮ接続システムを利用している施設にチェックインすることで、施設専用ページにチェックインされたことが投稿されるように設定したり、チェックインしたことが利用者のページに投稿されるように設定したりできる。
【００３８】
起動されるＳＮＳのアプリケーションソフトウェアは、ＳＮＳ運営側から提供された、アプリケーション・プログラミング・インタフェース（ＡＰＩ）を利用したソフトウェアであってもよい。これにより、ＳＮＳ利用者の情報を用いてＬＡＮ通信接続するＬＡＮ接続システムの専用アプリを開発し、さらにＳＮＳと連携させることができ、ＳＮＳに登録されたＳＮＳ利用者の情報を収集することもできる。
【符号の説明】
【００３９】
１０    通信端末
１０Ａ  通信端末画面  
１２    中継装置
１４    ｗｅｂサーバ
１６    ＬＡＮ接続利用権発行サーバ
【図２】
2015210784.tif 000003
【図１】
2015210784.tif 000004
【図３】
2015210784.tif 000005